(57)【要約】【課題】冷蔵温度よりも高温の温度帯で貯蔵物を保存できるとともに貯蔵物の乾燥を防止できる冷蔵庫を提供する。【解決手段】冷却器で生成した冷気を吐出して貯蔵物を冷蔵温度で貯蔵する冷蔵室２と、冷蔵室２内に配される隔離室６と、隔離室６に配される加熱ヒータ２７、２８とを備え、隔離室６を加熱ヒータ２７、２８により加熱された空気の自然対流によって冷蔵温度よりも高温にした。【選択図】図３
2010071487.tif 000002
【特許請求の範囲】
【請求項１】
冷却器で生成した冷気を吐出して貯蔵物を冷蔵温度で貯蔵する冷蔵室と、前記冷蔵室内に配される隔離室と、前記隔離室に配される加熱ヒータとを備え、前記隔離室を前記加熱ヒータにより加熱された空気の自然対流によって冷蔵温度よりも高温にしたことを特徴とする冷蔵庫。
【請求項２】
前記隔離室は冷蔵温度の領域と仕切る壁面が断熱材を充填した断熱パネルにより形成されるとともに、前面板と背面板との間に空気を封入した開閉自在の蓋体により前面が覆われることを特徴とする請求項１に記載の冷蔵庫。
【請求項３】
前記隔離室の側方に隣接するとともに前記冷蔵室の前部に開口部を開口して前記冷蔵室の冷気が流入する戻りダクトと、前記冷蔵室の背面に設けられるとともに前記戻りダクトを流通する冷気を戻り口を介して前記冷却器に導く戻り通路路とを備えたことを特徴とする請求項１または請求項２に記載の冷蔵庫。
【請求項４】
前記戻りダクトを着脱自在にしたことを特徴とする請求項３に記載の冷蔵庫。
【請求項５】
前記隔離室が貯蔵物を冷凍保存する冷凍室に断熱壁を介して隣接し、使用者によって前記加熱ヒータのオンオフを切替えできることを特徴とする請求項１〜請求項４のいずれかに記載の冷蔵庫。
【請求項６】
前記冷蔵室の冷蔵温度の領域と前記隔離室とを仕切る壁面を除く壁面に前記加熱ヒータを配したことを特徴とする請求項１〜請求項５のいずれかに記載の冷蔵庫。
【請求項７】
前記隔離室が１５℃±２℃に維持されることを特徴とする請求項１〜請求項６のいずれかに記載の冷蔵庫。
【発明の詳細な説明】
【技術分野】
【０００１】
本発明は、冷蔵室内に隔離室を有した冷蔵庫に関する。
【背景技術】
【０００２】
従来の冷蔵庫は特許文献１に開示されている。この冷蔵庫は庫内温度を切り替えられる温度切替室を備えている。温度切替室は断熱壁によって冷蔵室及び冷凍室と仕切られる。温度切替室には冷却器からの冷気が供給され、送風ファンの駆動によって温度切替室内を所望の冷却温度に維持することができる。
【０００３】
また、温度切替室内には加熱ヒータが設けられる。加熱ヒータ及び送風ファンを駆動すると、昇温された空気が循環して温度切替室内を冷蔵温度（０℃〜１０℃）よりも高温に維持される。これにより、温度切替室を赤ワインやパイナップル等の保存に適した温度帯（約１５℃）に維持することができる。
【０００４】
【特許文献１】特開２００６-１３８６２７号公報（第３頁−第７頁、第３図）
【発明の開示】
【発明が解決しようとする課題】
【０００５】
しかしながら、上記従来の冷蔵庫によると、温度切替室が冷蔵温度よりも高温に維持される場合に加熱ヒータによって昇温された空気が送風ファンによって循環する。このため、貯蔵物に風が当たるため貯蔵物やワインのコルク等が乾燥する問題があった。また、外気温が高温の場合には温度切替室内に冷気を供給して赤ワインやパイナップル等の保存に適した温度帯に維持される。このため、上記と同様に貯蔵物に風が当たるため貯蔵物やワインのコルク等が乾燥する問題があった。
【０００６】
本発明は、冷蔵温度よりも高温の温度帯で貯蔵物を保存できるとともに貯蔵物の乾燥を防止できる冷蔵庫を提供することを目的とする。
【課題を解決するための手段】
【０００７】
上記目的を達成するために本発明は、冷却器で生成した冷気を吐出して貯蔵物を冷蔵温度で貯蔵する冷蔵室と、前記冷蔵室内に配される隔離室と、前記隔離室に配される加熱ヒータとを備え、前記隔離室を前記加熱ヒータにより加熱された空気の自然対流によって冷蔵温度よりも高温にしたことを特徴としている。
【０００８】
この構成によると、冷蔵室は冷却器から冷気が供給され、冷蔵温度に維持される。冷蔵室内に配される隔離室は冷蔵室内の冷気によって周囲が冷蔵温度に維持され、加熱ヒータによって昇温された空気が自然対流して冷蔵温度よりも高温に維持される。
【０００９】
また本発明は、上記構成の冷蔵庫において前記隔離室は冷蔵温度の領域と仕切る壁面が断熱材を充填した断熱パネルにより形成されるとともに、前面板と背面板との間に空気を封入した開閉自在の蓋体により前面が覆われることを特徴としている。この構成によると、隔離室が例えば冷蔵室の下部に配され、隔離室の上壁や側壁が断熱パネルにより形成される。また、隔離室の前面は開閉自在の蓋体により塞がれて空気断熱される。
【００１０】
また本発明は、上記構成の冷蔵庫において、前記隔離室の側方に隣接するとともに前記冷蔵室の前部に開口部を開口して前記冷蔵室の冷気が流入する戻りダクトと、前記冷蔵室の背面に設けられるとともに前記戻りダクトを流通する冷気を戻り口を介して前記冷却器に導く戻り通路路とを備えたことを特徴としている。この構成によると、冷蔵室内の冷気は前部に設けた開口部を介して隔離室の側方の戻りダクトを流通し、背面の戻り口を介して戻り通路を流通して冷却器に戻る。
【００１１】
また本発明は、上記構成の冷蔵庫において、前記戻りダクトを着脱自在にしたことを特徴としている。この構成によると、戻りダクトを脱着すると隔離室内を冷気が流通し、戻り口から戻り通路を通って冷却器に戻る。
【００１２】
また本発明は、上記構成の冷蔵庫において、前記隔離室が貯蔵物を冷凍保存する冷凍室に断熱壁を介して隣接し、使用者によって前記加熱ヒータのオンオフを切替えできることを特徴としている。この構成によると、加熱ヒータを停止すると、冷蔵室及び冷凍室の冷熱によって隔離室内が冷却される。
【００１３】
また本発明は、上記構成の冷蔵庫において前記冷蔵室の冷蔵温度の領域と前記隔離室とを仕切る壁面を除く壁面に前記加熱ヒータを配したことを特徴としている。この構成によると、加熱ヒータが冷蔵室内に面していない壁面に設けられ、加熱ヒータから冷蔵温度の領域への熱漏洩が防止される。
【００１４】
また本発明は、上記構成の冷蔵庫において、前記隔離室が１５℃±２℃に維持されることを特徴としている。この構成によると、隔離室が赤ワイン、パイナップル、バナナ、メロン、トマト等の保存や、スイカ、カステラ等を食べ頃にするのに適した温度に維持される。
【発明の効果】
【００１５】
本発明によると、冷蔵室内に加熱ヒータを有する隔離室を設け、加熱ヒータにより加熱された空気の自然対流によって隔離室を冷蔵温度よりも高温にしたので、貯蔵に適した温度が冷蔵温度よりも高温の貯蔵物を乾燥させずに貯蔵することができる。また、外気温が高い場合に隔離室に冷気を供給する経路を設ける必要がなく、構造を簡素化することができる。
【発明を実施するための最良の形態】
【００１６】
以下に本発明の実施形態を図面を参照して説明する。図１は一実施形態の冷蔵庫を示す正面図である。冷蔵庫１は上部に冷蔵室２を有し、冷蔵室２の下方に冷凍室３が配される。冷凍室３の下方には野菜室４が配される。冷蔵室２、冷凍室３及び野菜室４はそれぞれ扉２ａ、３ａ、４ａにより開閉され、断熱壁９（図２参照）により仕切られる。冷蔵室２の扉２ａの前面には操作パネル５が設けられ、各貯蔵室の温度設定を行うことができる。
【００１７】
図２、図３は冷蔵室２の正面図及び側面断面図を示している。冷蔵室２内には貯蔵物を載置する複数の載置棚１３が設けられる。扉２ａの内面には複数のドアポケット１６が設けられる。冷蔵室２の背面は背面パネル２９が設けられる。冷蔵室２の後方には冷却器（不図示）からの冷気が流通する冷気通路２５が設けられる。冷気通路２５を流通する冷気は背面パネル２９の側方に開口する吐出口（不図示）から冷蔵室２に冷気を吐出する。冷蔵室２の後方下部には冷蔵室２内の冷気を冷却器に戻す戻り通路２６が設けられる。
【００１８】
冷蔵室２の下部にはワイン室６（隔離室）及び水タンク室７が左右に並設される。ワイン室６及び水タンク室７の上面は断熱材が充填される断熱パネル１４により上部と仕切られる。ワイン室６と水タンク室７との間は断熱材が充填される断熱パネル１５により仕切られる。水タンク室７は着脱自在の製氷用の水タンク７ａが配される。
【００１９】
ワイン室６の背面及び底面には使用者によりオンオフを切替えできる加熱ヒータ２７、２８が配される。ワイン室６内にはワインＷを収納する収納ケース２０が配される。収納ケース２０は上面及び前面上部が開放される。収納ケース２０の前面下部には把手部２０ｃが設けられる。
【００２０】
収納ケース２０の前面上部は回動する容器蓋３０によって塞がれる。収納ケース２０の下部及び容器蓋３０によってワイン室６は前面が塞がれた隔離室になっている。把手部２０ｃを把持して収納ケース２０を引き出すと容器蓋３０は収納ケース２０と係合して下方が前方に回動して開く。これにより、ワインＷを取り出すことができる。
【００２１】
詳細を後述するように、ワイン室６は冷蔵温度（０℃〜１０℃）よりも高温のワインの貯蔵に適した温度（１５℃±２℃）に維持される。このため、断熱パネル１４、１５により上方及び側方への熱漏れが防止される。また、容器蓋３０は前後に配される透明な前面板３０ａと背面板３０ｂの間に空気を封入して形成され、空気断熱によって前方への熱漏れが防止されている。前面板３０ａ及び背面板３０ｂの材料や着色を紫外線の透過率を低くするように選択すると（例えば、黒色に着色）ワインの劣化を低減することができる。
【００２２】
ワイン室６の右側には前面に開口部８ａを有する戻りダクト８が隣設する。戻りダクト８の開口部８ａは冷蔵室２の前部に配置され、冷蔵室２内の冷気が開口部８ａから流出する。このため、下部のドアポケット１６付近に冷気が行き届くようになっている。これにより、ドアポケット１６内の貯蔵物が高温のワイン室６によって冷却不足になることを防止できる。
【００２３】
図４は冷蔵室２の上面断面図を示している。水タンク室７の後部には水タンク７ａ（図２参照）に連結して製氷皿（不図示）に給水する給水ポンプ７ｂが配される。収納ケース２０の底面にはワインＷのボトルを載置する複数の凹部２０ａが前後に傾斜して形成される。
【００２４】
戻りダクト８の後端には戻り通路２６（図３参照）に臨む戻り口８ｂが形成される。冷蔵室２内の冷気は開口部８ａを介して戻りダクト８に流入し、戻り口８ｂを介して戻り通路を流通して冷却器に戻る。これにより、冷蔵室２内の冷気がワイン室６内を直接流れることなく冷却器に戻される。従って、ワイン室６が必要以上に冷却されることを回避し、加熱ヒータ２７、２８の通電量を少なくしてワインに適した温度を得ることができる。
【００２５】
上記構成の冷蔵庫１において、冷却器で生成された冷気は矢印Ａ１（図３参照）に示すように冷気通路２５を流通する。冷気通路２５を流通する冷気は吐出口を介して矢印Ａ２（図２参照）に示すように冷蔵室２に吐出される。冷蔵室２に吐出された冷気は冷蔵室２内を降下し、矢印Ａ３（図２参照）に示すように開口部８ａを介して戻りダクト８に流入する。
【００２６】
戻りダクト８を流通する冷気は戻り口８ｂを介して矢印Ａ４（図３参照）に示すように戻り通路２６に流入し、冷却器に戻る。これにより、冷蔵室２内が冷蔵温度（０℃〜１０℃）に維持される。また、冷却器で生成された冷気は冷凍室４に吐出され、冷凍室４が氷点以下に維持される。
【００２７】
ワイン室６は断熱パネル１４、１５を介して冷蔵温度の領域と隣接する。そして、加熱ヒータ２７、２８をオンするとワイン室６内の空気が昇温されて自然対流する。これにより、ワイン室６内が赤ワインの貯蔵に適した温度（１５℃±２℃）に維持される。この時、ワイン室６内が自然対流によって昇温されるため、コルクの乾燥を防止することができる。
【００２８】
また、この温度はパイナップル、バナナ、メロン、トマト等の貯蔵にも適しており、スイカやカステラの食べ頃にする温度である。このため、収納ケース２０内にこれらの貯蔵物を収納してもよい。この時、ワイン室６内が自然対流によって昇温されるため、各貯蔵物の乾燥を防止することができる。
【００２９】
尚、ワイン室６は断熱パネル１４、１５を介して冷蔵温度の領域と隣接し、断熱壁９を介して冷凍室３と隣接する。このため、加熱ヒータ２７、２８をオフにすると、ワイン室６内が冷蔵温度の領域の冷熱と冷凍室３の冷熱によって冷却される。これにより、ワイン室６内を冷蔵温度（例えば、３℃）に維持して白ワイン等の貯蔵物の冷蔵保存を行うことができる。
【００３０】
本実施形態によると、冷蔵室２内に加熱ヒータ２７、２８を有した隔離室であるワイン室６を設け、加熱ヒータ２７、２８により加熱された空気の自然対流によってワイン室６を冷蔵温度よりも高温にしたので、貯蔵に適した温度が冷蔵温度よりも高温の貯蔵物を乾燥させずに貯蔵することができる。また、外気温が高い場合にワイン室６に冷気を供給する経路を設ける必要がなく、構造を簡素化することができる。
【００３１】
また、ワイン室６は冷蔵温度の領域と仕切る壁面が断熱材を充填した断熱パネル１４、１５により形成され、前面板３０ａと背面板３０ｂとの間に空気を封入した開閉自在の容器蓋３０（蓋体）により前面が覆われるので、冷蔵温度の領域に対して断熱隔離し、ワイン室６からの熱漏れを低減することができる。
【００３２】
また、戻りダクト８に冷気が流入する開口部８ａが冷蔵室２の前部に配されるため、下部のドアポケット１６付近まで冷気が行き届く。これにより、ドアポケット１６内の貯蔵物が高温のワイン室６によって冷却不足になることを防止できる。
【００３３】
また、ワイン室６が冷凍室３に隣接して加熱ヒータ２７、２８のオンオフを使用者によって切替えできるので、加熱ヒータ２７、２８を停止して冷凍室３及びワイン室６外の冷蔵室２からの冷熱によってワイン室６内を冷蔵温度に維持して貯蔵物を冷蔵保存できる。これにより、冷蔵庫１の利便性を向上することができる。
【００３４】
また、加熱ヒータ２７、２８は冷蔵室２の冷蔵温度の領域と仕切られる壁面に配置されず、ワイン室６の背面及び底面に配される。このため、加熱ヒータ２７、２８の熱が冷蔵室２内に漏れることを低減し、冷却効率を向上することができる。
【００３５】
また、ワイン室６が１５℃±２℃に維持されるので、赤ワイン、パイナップル、バナナ、メロン、トマト、スイカ、カステラ等の保存に適している。尚、ワイン室６を約１３℃にすると熟成年数の短い赤ワインの保存に特に適しており、約１７℃にすると熟成年数の長い赤ワインの保存に特に適している。これにより、ワイン室６を１５℃±２℃にするとよい。
【００３６】
尚、ワイン室６の温度は冷蔵温度（０〜１０℃）よりも高温であれば所望の温度に設定することができる。しかしながら、常温（２０〜２５℃）を超えると冷蔵室２内への熱漏洩の影響が大きくなるため、常温よりも低い温度にするとより望ましい。
【００３７】
本実施形態において、戻りダクト８を着脱自在にしてもよい。戻りダクト８を取り外すと、冷気がワイン室６内を流通して戻り口８ｂを介して戻り通路２６に流入する。これにより、ワイン室６を冷気が流通する冷却室として利用できるようになる。また、ワイン室６を冷却室として利用できる冷蔵庫を容易に得ることができるため、異なるタイプの複数の機種の冷蔵庫を容易に提供することもできる。
【産業上の利用可能性】
【００３８】
本発明によると、冷蔵室内に隔離室を有した冷蔵庫に利用することができる。
【図面の簡単な説明】
【００３９】
【図１】本発明の実施形態の冷蔵庫を示す正面図
【図２】本発明の実施形態の冷蔵庫の冷蔵室を示す正面図
【図３】本発明の実施形態の冷蔵庫の冷蔵室を示す側面断面図
【図４】本発明の実施形態の冷蔵庫の冷蔵室を示す上面断面図
【符号の説明】
【００４０】
１    冷蔵庫
２    冷蔵室
２ａ、３ａ、４ａ  扉
３    冷凍室
４    野菜室
６    ワイン室
７    水タンク室
８    戻りダクト
８ａ  開口部
８ｂ  戻り口
９    断熱壁
１３    載置棚
１４、１５  断熱パネル
１６    ドアポケット
２０    収納ケース
２５    冷気通路
２６    戻り通路
２７、２８  加熱ヒータ
【図１】
2010071487.tif 000003
【図２】
2010071487.tif 000004
【図３】
2010071487.tif 000005
【図４】
2010071487.tif 000006